(57)【要約】【課題】  スキャンＵＲＬ送信機能などといった読取画像のネットワーク識別子通知機能を良好なユーザビリティで提供する画像読取装置を得る。【解決手段】  画像読取部１１は、原稿から原稿画像を読み取り原稿画像の画像データを生成し、画像取得部４２は、１つのジョブにおいて生成された画像データを取得し、その画像データを含む画像ファイルを生成し特定フォルダーに保存する。条件判定部４３は、１つのジョブにおいて生成され保存された画像ファイルの数に基づいて、画像ファイルのネットワーク識別子および特定フォルダーのネットワーク識別子のいずれかを選択する。通信処理部４４は、選択されたネットワーク識別子を含むメッセージを特定の宛先に送信する。【選択図】  図２
2019176438.tif 000002
【特許請求の範囲】
【請求項１】
原稿から原稿画像を読み取り前記原稿画像の画像データを生成する画像読取部と、
１つのジョブにおいて生成された前記画像データを取得し、前記画像データを含む画像ファイルを生成し特定フォルダーに保存する画像取得部と、
前記１つのジョブにおいて生成され保存された前記画像ファイルの数に基づいて、前記画像ファイルのネットワーク識別子および前記特定フォルダーのネットワーク識別子のいずれかを選択する条件判定部と、
選択された前記ネットワーク識別子を含むメッセージを特定の宛先に送信する通信処理部と、
を備えることを特徴とする画像読取装置。
【請求項２】
前記画像取得部は、前記画像データのサイズに応じて、前記画像データを分割するか否かを判定し、前記画像データを分割すると判定した場合には、１つの画像ファイルのサイズが所定上限値以下となるように、前記画像データを分割して複数の分割画像データを生成し、前記複数の分割画像データを含む複数の画像ファイルを生成し、前記特定フォルダーに保存し、
前記条件判定部は、前記複数の分割画像データを含む前記複数の画像ファイルの数に基づいて、前記画像ファイルのネットワーク識別子および前記特定フォルダーのネットワーク識別子のいずれかを選択すること、
を特徴とする請求項１記載の画像読取装置。
【請求項３】
前記条件判定部は、前記１つのジョブにおいて生成され保存された前記画像ファイルの数が所定値以下である場合、前記画像ファイルのネットワーク識別子を選択し、前記１つのジョブにおいて生成され保存された前記画像ファイルの数が前記所定値を超えている場合、前記特定フォルダーのネットワーク識別子を選択することを特徴とする請求項１または請求項２記載の画像読取装置。
【請求項４】
前記所定値は、ユーザーにより指定されることを特徴とする請求項３記載の画像読取装置。
【請求項５】
サーバーをさらに備え、
前記画像取得部は、前記特定フォルダーに保存された前記画像ファイルのリストを表示するためのページデータファイルを生成して前記特定フォルダーに保存し、
前記サーバーは、（ａ）前記画像ファイルのネットワーク識別子を指定した要求を受信すると、前記画像ファイルを送信し、（ｂ）前記特定フォルダーのネットワーク識別子を指定した要求を受信すると、前記ページデータファイルを送信すること、
を特徴とする請求項１記載の画像読取装置。
【請求項６】
前記ネットワーク識別子は、ＵＲＬであることを特徴とする請求項１から請求項５のうちのいずれか１項記載の画像読取装置。
【発明の詳細な説明】
【技術分野】
【０００１】
本発明は、画像読取装置に関するものである。
【背景技術】
【０００２】
ある画像読取装置は、原稿から読み取られた原稿画像の画像ファイルをボックス（フォルダー）に保存し、その画像ファイルのＵＲＬ（Uniform Resource Locator）を含むメッセージ（電子メールなど）を送信し、これにより、ユーザーが端末装置などを操作してそのメッセージに含まれるＵＲＬを指定して、画像ファイルをダウンロードする機能（スキャンＵＲＬ送信機能）を有する（例えば特許文献１参照）。
【先行技術文献】
【特許文献】
【０００３】
【特許文献１】特開２００６−３１１３４４号公報
【発明の概要】
【発明が解決しようとする課題】
【０００４】
しかしながら、上述の装置では、１つのジョブで複数の画像ファイルが生成され保存される場合、保存された画像ファイルの数が多いときには、保存された画像ファイルの数と同じ数のＵＲＬがメッセージでユーザーに通知され、ユーザーは、その複数の画像ファイルの一部（例えば１つ）のみをダウンロードしたい場合、所望の画像ファイルがダウンロードされるまで、順番にＵＲＬを指定して画像ファイルをダウンロードする必要がある。このように、通常のスキャンＵＲＬ送信機能はユーザビリティが低い。
【０００５】
本発明は、上記の問題に鑑みてなされたものであり、スキャンＵＲＬ送信機能などといった読取画像のネットワーク識別子通知機能を良好なユーザビリティで提供する画像読取装置を得ることを目的とする。
【課題を解決するための手段】
【０００６】
本発明に係る画像読取装置は、原稿から原稿画像を読み取り前記原稿画像の画像データを生成する画像読取部と、１つのジョブにおいて生成された前記画像データを取得し、前記画像データを含む画像ファイルを生成し特定フォルダーに保存する画像取得部と、前記１つのジョブにおいて生成され保存された前記画像ファイルの数に基づいて、前記画像ファイルのネットワーク識別子および前記特定フォルダーのネットワーク識別子のいずれかを選択する条件判定部と、選択された前記ネットワーク識別子を含むメッセージを特定の宛先に送信する通信処理部とを備える。
【発明の効果】
【０００７】
本発明によれば、スキャンＵＲＬ送信機能などといった読取画像のネットワーク識別子通知機能を良好なユーザビリティで提供する画像読取装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像読取装置を示す斜視図である。
【図２】図２は、図１における画像読取装置１の構成を示すブロック図である。
【図３】図３は、実施の形態１における１つのジョブで特定フォルダーに保存された複数の画像ファイルの一例を示す図である。
【図４】図４は、実施の形態１において特定フォルダーに保存されたページデータファイルに基づき端末装置２に表示された画像ファイルのリストを含む画面の一例を示す図である。
【図５】図５は、実施の形態１に係る画像読取装置１の動作について説明するフローチャートである。
【発明を実施するための形態】
【００１０】
以下、図に基づいて本発明の実施の形態を説明する。
【００１１】
実施の形態１．
【００１２】
図１は、本発明の実施の形態に係る画像読取装置を示す斜視図である。図１において、画像読取装置１は、画像読取機能を有する複合機であり、画像読取装置の一種である。端末装置２は、パーソナルコンピューターなどの、ユーザーが操作する端末装置であって、ネットワーク３を介して画像読取装置１と通信可能である。
【００１３】
図２は、図１における画像読取装置１の構成を示すブロック図である。図１および図２に示す画像読取装置１は、画像読取部１１、印刷装置１２、ファクシミリ装置１３、通信装置１４、操作パネル１５、演算処理装置１６、記憶装置１７などを備える。
【００１４】
画像読取部１１は、プラテングラスに載置された原稿や、自動原稿送り装置によりフィードされた原稿から原稿画像を光学的に読み取り、その原稿画像の画像データを生成する。
【００１５】
印刷装置１２は、スキャンで得られた画像データなどに基づく画像を印刷する内部装置である。
【００１６】
ファクシミリ装置１３は、スキャンで得られた画像データをファクシミリ信号として送信し、ファクシミリ信号を受信して画像データを生成する内部装置である。
【００１７】
通信装置１４は、ネットワークインターフェイス、近距離通信インターフェイスなどであって、端末装置２とデータ通信を行う内部装置である。
【００１８】
操作パネル１５は、画像読取装置１の筺体上面側に配置され、ユーザーに対して画面を表示する表示装置２１およびそのユーザーによる操作を受け付ける入力装置２２を有する。表示装置２１は、液晶ディスプレイなどである。また、入力装置２２は、ハードキー、表示装置２１とともにソフトキーを実現するタッチパネルなどである。
【００１９】
演算処理装置１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、演算処理装置１６は、ＲＯＭや図示せぬ記憶装置に記憶されているプログラムをＲＡＭにロードしてＣＰＵで実行して、ソフトウェアによって各種処理部として動作したり、ＡＳＩＣなどで、ハードウェアによって各種処理部として動作したりする。
【００２０】
演算処理装置１６は、ジョブ管理部４１、画像取得部４２、条件判定部４３、通信処理部４４、およびサーバー４５として動作する。
【００２１】
ジョブ管理部４１は、スキャンＵＲＬ送信ジョブなどといったジョブのジョブ要求を受け付けると、内部装置を使用してそのジョブを実行する。
【００２２】
画像取得部４２は、１つのジョブにおいて生成された画像データを画像読取部１１から取得し、その画像データを含む画像ファイルを生成し特定フォルダーに保存する。なお、この特定フォルダーは、内部の記憶装置１７、図示せぬ外部の記憶装置などに設けられている。
【００２３】
例えば、ジョブ設定に基づいて、１つのジョブで複数ページの原稿についての画像ファイルを生成する際に、複数ページのページ画像を含む１つの画像ファイル（例えばＰＤＦファイル）を生成し保存するか、複数ページ（Ｎページ）のページ画像をそれぞれ含む複数（Ｎ個）の画像ファイル（例えばＰＤＦファイル）を生成し保存するかが選択される。
【００２４】
条件判定部４３は、上述のように１つのジョブにおいて生成され保存された画像ファイルの数に基づいて、画像ファイルのネットワーク識別子および上述の特定フォルダーのネットワーク識別子のいずれかを選択する。
【００２５】
具体的には、条件判定部４３は、１つのジョブにおいて生成され保存された画像ファイルの数が所定値以下である場合、画像ファイルのネットワーク識別子を選択し、１つのジョブにおいて生成され保存された画像ファイルの数が所定値を超えている場合、特定フォルダーのネットワーク識別子を選択する。
【００２６】
この所定値は、ここでは１に設定される。ただし、この所定値は、ユーザーにより指定可能であって、２以上の数（例えば、３）でもよい。
【００２７】
当該ネットワーク識別子は、例えばＵＲＬである。
【００２８】
通信処理部４４は、通信装置１４を使用して、条件判定部４３により選択されたネットワーク識別子を含むメッセージを特定の宛先に送信する。このメッセージは、所定のプロトコルによって送信される。この実施の形態では、このメッセージは電子メールとして送信される。また、この特定の宛先は、ユーザー操作またはユーザー設定により指定された宛先（電子メールアドレスなど）である。なお、メッセージは、画像ファイルなどのネットワーク識別子を含むが、画像ファイルの縮小画像などを含んでいない。
【００２９】
サーバー４５は、通信装置１４を使用して、ネットワーク識別子を指定した要求を受信すると、そのネットワーク識別子に対応するファイルを特定して読み出し、その要求の応答として要求元へ送信する。端末装置２は、ユーザー操作に従って上述のメッセージを取得し、ウェブブラウザーなどを使用して、上述のメッセージ内のネットワーク識別子（ここではＵＲＬ）を指定した送信要求を送信する。
【００３０】
この実施の形態では、画像取得部４２は、１つのジョブで複数の画像ファイルが生成され特定フォルダーに保存された場合、特定フォルダーに保存された画像ファイルのリストを表示するためのページデータファイルを生成してその特定フォルダーに保存する。そして、サーバー４５は、（ａ）画像ファイルのネットワーク識別子を指定した要求を受信すると、その画像ファイルを送信し、（ｂ）特定フォルダーのネットワーク識別子を指定した要求を受信すると、そのページデータファイルを送信する。
【００３１】
例えば、サーバー４５は、ウェブサーバーであって、上述のネットワーク識別子はＵＲＬであって、上述のページデータファイルは、ＨＴＭＬ（HyperText Markup Language）で記述されたファイル（index.html）である。
【００３２】
図３は、実施の形態１における１つのジョブで特定フォルダーに保存された複数の画像ファイルおよびページデータファイルの一例を示す図である。図４は、実施の形態１において特定フォルダーに保存されたページデータファイルに基づき端末装置２に表示された画像ファイルのリストを含む画面の一例を示す図である。
【００３３】
例えば図３に示すように、１つのジョブで、４ページの原稿に対して４個の画像ファイル「doc1-1.pdf」，「doc1-2.pdf」，「doc1-3.pdf」，「doc1-4.pdf」が特定フォルダー「documentbox1」に保存された場合、特定フォルダー「documentbox1」にページデータファイル「index.html」が保存され、特定フォルダーのＵＲＬ（例えば、http://192.168.0.xxx/documentbox1/）がユーザー宛のメッセージに含められ送信される。そして、端末装置２が、ユーザー操作によってそのメッセージに含められているＵＲＬのハイパーリンクがクリックされると、そのＵＲＬを指定した送信要求を送信する。サーバー４５は、その送信要求を受け付けると、ＨＴＴＰ（HyperText Transfer Protocol）に従って、指定されたＵＲＬのindex.htmlファイル（つまり、ページデータファイル）を応答として送信する。端末装置２は、そのindex.htmlファイルを受信すると、そのindex.htmlファイルに基づく例えば図４に示すような画面を表示装置に表示する。例えば図４に示すように、この画面には、上述の４つの画像ファイルのそれぞれについて、画像ファイルのＵＲＬを含むハイパーリンク１０１〜１０４および縮小画像（サムネイル画像など）１１１〜１１４が表示される。これにより、ユーザーは、各画像ファイルの画像を視認して所望の画像ファイルを特定し端末装置２にダウンロードさせることができる。
【００３４】
次に、実施の形態１に係る画像読取装置１の動作について説明する。図５は、実施の形態１に係る画像読取装置１の動作について説明するフローチャートである。
【００３５】
ジョブ管理部４１が例えばスキャンＵＲＬ送信ジョブのジョブ要求を受け付けると、画像取得部４２は、ジョブ設定により指定されている特定フォルダーを特定し（ステップＳ１）、画像読取部１１により読み取られた原稿画像の画像ファイルを取得し特定フォルダーに保存する（ステップＳ２）。
【００３６】
実施の形態１では、このとき、例えば１ページの原稿の場合、１個の画像ファイルがこのジョブで保存され、実施の形態１では、このとき、例えばＮ（Ｎ＞１）ページの原稿の場合、ジョブ設定に応じてＮ個の画像ファイルまたは１個の画像ファイルがこのジョブで保存される。
【００３７】
次に、条件判定部４３は、このジョブで特定フォルダーに保存された画像ファイルの数が所定値以下であるか否かを判定する（ステップＳ３）。
【００３８】
このジョブで特定フォルダーに保存された画像ファイルの数が所定値以下である場合、条件判定部４３は、１つのジョブにおいて生成され保存された画像ファイルのＵＲＬを選択し、通信処理部４４は、選択されたＵＲＬを含むメールを生成する（ステップＳ４）。
【００３９】
一方、このジョブで特定フォルダーに保存された画像ファイルの数が所定値以下ではない場合、条件判定部４３は、１つのジョブにおいて画像ファイルが保存された特定フォルダーのＵＲＬを選択し、通信処理部４４は、画像ファイルのＵＲＬ（つまり、保存された画像ファイルの数と同数のＵＲＬ）を含むメールを生成する（ステップＳ５）。
【００４０】
そして、通信処理部４４は、通信装置１４を使用して、生成したメールを送信する（ステップＳ６）。
【００４１】
画像ファイルのＵＲＬを含むメールが送信された場合、端末装置２で、そのメールが表示され、いずれかのＵＲＬを示すハイパーリンクがクリックされると、送信要求がサーバー４５へ送信され、そのＵＲＬの画像ファイルが、そのサーバー４５から端末装置２へダウンロードされる。
【００４２】
一方、特定フォルダーのＵＲＬを含むメールが送信された場合、端末装置２で、そのメールが表示され、そのＵＲＬを示すハイパーリンクがクリックされると、送信要求がサーバー４５へ送信され、上述のように画像ファイルのリストを示すページデータファイルが、そのサーバー４５から端末装置２へダウンロードされ、例えば図４に示すような画像ファイルのリストが端末装置２に表示される。そして、ユーザー操作により、いずれかの画像ファイルのＵＲＬを示すリンクがクリックされると、送信要求がサーバー４５へ送信され、そのＵＲＬの画像ファイルが、そのサーバー４５から端末装置２へダウンロードされる。
【００４３】
以上のように、上記実施の形態１によれば、画像読取部１１は、原稿から原稿画像を読み取り原稿画像の画像データを生成し、画像取得部４２は、１つのジョブにおいて生成された画像データを取得し、その画像データを含む画像ファイルを生成し特定フォルダーに保存する。条件判定部４３は、１つのジョブにおいて生成され保存された画像ファイルの数に基づいて、画像ファイルのネットワーク識別子および特定フォルダーのネットワーク識別子のいずれかを選択する。通信処理部４４は、選択されたネットワーク識別子を含むメッセージを特定の宛先に送信する。
【００４４】
これにより、スキャンＵＲＬ送信機能などといった読取画像のネットワーク識別子通知機能が良好なユーザビリティで提供される。
【００４５】
つまり、保存された画像ファイルが少ない場合には、ユーザーは、そのメッセージ内のネットワーク識別子を指定してただちに画像ファイルをダウンロードできる。一方、保存された画像ファイルが多い場合には、ユーザーは、そのメッセージ内のネットワーク識別子を指定して特定フォルダーに保存された画像ファイルのリストから所望の画像ファイルを選択してダウンロードでき、上述のような不要な画像ファイルのダウンロードを行う必要がない。
【００４６】
実施の形態２．
【００４７】
実施の形態２では、ジョブ設定において、生成される画像ファイルのサイズの上限値が設定されている場合、画像取得部４２は、上述の画像データのサイズに応じて、画像データを分割するか否かを判定し、その画像データを分割すると判定した場合には、１つの画像ファイルのサイズがその上限値以下となるように、画像データを分割して複数の分割画像データを生成し、複数の分割画像データをそれぞれ含む複数の画像ファイルを生成し特定フォルダーに保存する。そして、条件判定部４３は、その複数の画像ファイルの数（つまり、１つのジョブで生成され保存された画像ファイルの数）に基づいて、実施の形態１と同様にして、画像ファイルのネットワーク識別子およびフォルダーのネットワーク識別子のいずれかを選択する。なお、ここでは、画像データは、ページ単位で分割される（つまり、ページ画像の途中では画像データは分割されない）。
【００４８】
なお、実施の形態２に係る画像読取装置のその他の構成よび動作については実施の形態１と同様であるので、その説明を省略する。
【００４９】
以上のように、上記実施の形態２によれば、生成された画像データのサイズに応じて画像データが強制的に分割され複数の画像ファイルが生成された場合でも、実施の形態１と同様に、画像ファイルのネットワーク識別子または特定フォルダーのネットワーク識別子が選択される。
【００５０】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００５１】
本発明は、例えば、画像読取装置に適用可能である。
【符号の説明】
【００５２】
１  画像読取装置
１１  画像読取部
４１  ジョブ管理部
４２  画像取得部
４３  条件判定部
４４  通信処理部
４５  サーバー
【図１】
2019176438.tif 000003
【図２】
2019176438.tif 000004
【図３】
2019176438.tif 000005
【図４】
2019176438.tif 000006
【図５】
2019176438.tif 000007